(57)【要約】      （修正有）【課題】家庭内での衣類用ハンガーと洗濯バサミの非使用時における収納方法と美観の改善、及び使用時の作業性の向上を目的とする。【解決手段】衣類用ハンガーを収納する収納部▲２▼と持運び用の把手▲３▼、そして洗濯バサミを留める洗濯バサミ収納部▲５▼とを備えた収納ラック。【選択図】図１
0003115952.tif 000002
【実用新案登録請求の範囲】
【請求項１】
衣類用ハンガーを立てた状態で収納することの出来るハンガー収納部を本体とし、収納部を中央で左右に分ける仕切り板を本体よりも上部に伸ばしてそこに把手を設け、更に本体両側面の上部に洗濯バサミを上下方向から留めておくことの出来るスリットを設けたところを特徴とする衣類用ハンガーと洗濯バサミの収納ラック。
【考案の詳細な説明】
【技術分野】
【０００１】  本考案は、衣類用ハンガー（主にはり金製のもの）と洗濯バサミの収納に関するものであり、収納容器の形状に工夫をすることによって衣類用ハンガーと洗濯バサミとを一緒にしまえるようにするものです。
【背景技術】
【０００２】  従来、一般家庭では衣類用ハンガーは不使用時には短いヒモでひとまとめに縛ってそのまま置いておくか、ポールやワイヤーなどにただ並べて釣り下げる、あるいは浅い箱などに積み重ねていれていました。又、洗濯バサミは別の容器にいれるか、ハンガーにつけたままにしていました。
【考案の開示】
【考案が解決しようとする課題】
【０００３】  しかし、衣類用ハンガーも数十本の束になるとかさばって置場所に困ります。そのまま置いてあったりブラ下げてあるのは見た目がよくありません。又、洗濯物を干す時には洗濯バサミがどうしても必要になりますが、洗濯バサミをハンガーと一緒につけたままにしておくと更にかさが増えて収納しずらくなり、見苦しくもなります。外しておくとすれば洗濯バサミ専用の容器が必要になり、いざ使おうとする時にはハンガーと洗濯バサミの両方を用意しなければならないので不便でもあります。このことからハンガーと洗濯バサミとをワンボックスでしかも持ち運べる様なかたちで収納する容器が必要になるのです。
【課題を解決するための手段】
【０００４】  そこで、衣類用ハンガーのフック部分を前に出して、まとめて立たせた状態で収納することのできる縦長のラックを考案しました。（図１）本体は、縦長の箱の前面上部を斜めに切り取ったかたちをしており、ハンガー収納部▲２▼内側に固定された中央の仕切り板は本体よりも上まで伸びてそこで把手▲３▼を形成し、更に本体の両側面の上端部には上下方向から洗濯バサミを並べて留めておけるスリット▲５▼が設けてあり、これらによってハンガーと洗濯バサミとをコンパクトで運搬可能の状態に収納して問題を解決している。
【考案の効果】
【０００５】  この考案による収納ラックは、１台で約４０本の衣類用ハンガーと約４０個の洗濯バサミを収納する事ができます。ハンガーを立たせてあるので床の占有面積が少なくて済み、スペースファクターがよくなり部屋の中をスッキリとさせる事ができます。又、把手を持つことで容易に持ち運べるので使用時にはハンガーと洗濯バサミを一度に持ってくる事ができて作業性がよくなります。ハンガーの出し入れは、ラック本体からハンガーのフック部分が斜め上に突き出したかたちで収納されているので（図２）そこを掴むだけで容易に行なえ、一方、洗濯バサミの付け外しも収納用のスリットを形成する板状の部分を直接挟み込む方法なので、乾いた洗濯物からスリットへ、又スリットから干そうとする洗濯物へと、持ちかえをせずに着脱を行なえます。ラック本体の側面に手がぶつかって付け外しがやりにくくなるスリット下側への着脱についても、収納スリットそのものがラックを正面からみた時に下へ行く程外側へ広がるかたちになっているので、手がぶつかる事は無く何ら問題なく作業をすることが出来るようになっています。
【考案を実施するための最良の形態】
【０００６】  本考案の衣類用ハンガーと洗濯バサミの収納ラックは、使用者によって組み立てられる事を前提とした製品として製造する事が考えられます。その場合、素材を図３、展開図の様なかたちに打ち抜きなどの製法によって加工します。組み立ては図４〜５組立図にあるように、折り曲げとベロの差し込み固定のみによって完成させる事が出来るので、接着剤やテープの類いは一切不要です。全体の寸法は一般的な針金製ハンガーを収納するものとして概ね図６、寸法図（符号の説明欄）に示すようになります。収容力を増減したい場合には、必要に応じて数字を調整します。素材は薄手のダンボールや厚紙、樹脂びきをした紙材のほか、ポリプロピレン等の人工樹脂の薄板をもちいることが考えられます。ただ、実際の使用状況を考えると、ハンガーの出し入れの時に音が出にくく床などに傷をつけない、また製造コストの点からも紙材は有利であると思われます。【０００７】  一体型とゆう事にこだわらなければ素材を一種類に限定する必要はなく、例えば図７の様に本体は紙材でも把手部には穴のみを開けておいてベロは廃止し、プラスチックや硬質ゴム製の成形部品▲１４▼を後からはめ込むようにする方法もあります。その場合、併せて同じプラスチックか硬質ゴム製のガード部品▲１５▼も作ってハンガーの出し入れの際に痛みやすい本体両側面の一部をカバー、補強すると有効だと思われます。洗濯バサミの収納部▲１６▼にしても、別に作ったものを後から取り付ける場合には、構造そのものを図７、８にあるようなかたちに変更してもよいのです。（素材は本体と同じ）この方がデザイン的にはまとまりが好くなるでしょう。【０００８】  製造のコストにこだわらなければ、木材の薄板を素材にしたダボ等による嵌め込み式やネジ・クギ、接着剤を用いた作り方で、あるいは幾つかのパーツにわけてプラスチックなどの人工樹脂を使ったインジェクションの成形品としても製造することが可能です。更には麻布やキャンバス地の様な丈夫な布材、または皮革や人工皮革を使って、中に必要に応じた芯を入れ、袋や手提げかばんのように縫製の手法で作れば、使わない時には畳めるし長持ちのするものにもなります。その場合には、洗濯バサミ収納用のスリット部は帯状に作った部材の両端を本体両側面の上部に必要なだけのクリアランスを保って縫い付けるだけでよいことになります。
【図面の簡単な説明】
【０００９】
【図１】  この考案の衣類用ハンガーと洗濯バサミの収納ラックの斜視図です。
【図２】  同収納ラックの断面図です。
【図３】  同ラックの一実施例の展開図です。〔斜線部は切り抜く〕
【図４】  同ラックの一実施例の組立図です。（１）両端から２回上に折り曲げる。〔左下は上下方向から見た図〕（２）両端の把手部のベロを持ちあげる。〔左下は上下方向から見た図〕（３）更にもう一回両側から上へ折り曲げる。その時把手部のベロはお互いの孔の中へ入れ合いながら行なう。〔左は上下方向からみた図〕
【図５】  同ラックの一実施例の組立図です。（４）本体を起こして背面部の孔の中へ仕切り板のダボを二枚とも差し込み固定する。〔左は上下方向からみた図〕（５）把手部のベロで把手の柱を巻き込む様に折り曲げてからベロの先を孔に差し込み固定する。（６）本体を倒し底部のベロを背面、側面、前面の順で折り曲げ差し込み固定する。（７）再び本体を起こし、洗濯バサミ収納部を軽く二回折り曲げてから両端のベロを折り曲げてやり、二つずつ開いた本体の孔の外側の方に差し込みながら洗濯バサミ収納部が本体と密着する様に固定される位置までしっかりと押し込む。内側に飛び出した固定用のベロを折り曲げて、残されたもう一つの孔から外に向かって突き出す様に差し込んでから、飛び出した残りの部分の先端がそれぞれ向かい合う様に曲げておく。
【図６】  同ラックの寸法図です。
【図７】  同ラックの一実施例の説明図です。
【図８】  同ラックの一実施例の洗濯バサミ収納スリットの展開図です。
【符号の説明】
【００１０】▲１▼  衣類用ハンガー
▲２▼  ハンガー収納部
▲３▼  把手部
▲４▼  洗濯バサミ
▲５▼  洗濯バサミ収納部
▲６▼  １８０ｍｍ
▲７▼  ２０ｍｍ
▲８▼  ２５ｍｍ
▲９▼  ５０ｍｍ
▲１０▼  ２２０ｍｍ
▲１１▼  ３５５ｍｍ
▲１２▼  ２２５ｍｍ
▲１３▼  １５０ｍｍ
▲１４▼  把手部品
▲１５▼  ガード部品
▲１６▼  洗濯バサミ収納部（別案）
【図１】
0003115952.tif 000003
【図２】
0003115952.tif 000004
【図３】
0003115952.tif 000005
【図４】
0003115952.tif 000006
【図５】
0003115952.tif 000007
【図６】
0003115952.tif 000008
【図７】
0003115952.tif 000009
【図８】
0003115952.tif 000010
【手続補正書】
【提出日】平成17年7月9日(2005.7.9)
【手続補正１】
【補正対象書類名】図面
【補正対象項目名】図３
【補正方法】変更
【補正の内容】
【図３】
0003115952.tif 000011
【手続補正書】
【提出日】平成17年8月3日(2005.8.3)
【手続補正１】
【補正対象書類名】明細書
【補正対象項目名】課題を解決するための手段
【補正方法】変更
【補正の内容】
【課題を解決するための手段】
【０００４】
そこで、衣類用ハンガーのフック部分を前に出して、まとめて立たせた状態で収納することのできる縦長のラックを考案しました。（図１）本体は、縦長の箱の前面上部を切り取ったかたちをしており、ハンガー収納部▲２▼内側に固定された中央の仕切り板は本体よりも上まで伸びてそこで把手▲３▼を形成し、更に本体の両側面の上端部には上下方向から洗濯バサミを並べて留めておけるスリット▲５▼が設けてあり、これらによってハンガーと洗濯バサミとをコンパクトで運搬可能の状態に収納して問題を解決している。
【手続補正２】
【補正対象書類名】明細書
【補正対象項目名】考案を実施するための最良の形態
【補正方法】変更
【補正の内容】
【考案を実施するための最良の形態】
【０００８】
製造のコストにこだわらなければ、木材の薄板を素材にしたダボ等による嵌め込み式やネジ・クギ、接着剤を用いた作り方で、あるいは幾つかのパーツにわけてプラスチックなどの人工樹脂を使ったインジェクションの成形品としても製造することが可能です。更には麻布やキャンバス地の様な丈夫な布材、または皮革や人工皮革を使って、中に必要に応じた芯を入れ、袋や手提げかばんのように縫製の手法で作れば、使わない時には畳めるし長持ちのするものにもなります。（図９）その場合には、洗濯バサミ収納用のスリット部は帯状に作った部材の両端を本体両側面の上部に必要なだけのクリアランスを保って縫い付けるだけでよいことになります。
【手続補正３】
【補正対象書類名】明細書
【補正対象項目名】図面の簡単な説明
【補正方法】変更
【補正の内容】
【図面の簡単な説明】
【０００９】
【図１】本考案の衣類用ハンガーと洗濯バサミの収納ラックの斜視図です。
【図２】  同収納ラックの断面図です。
【図３】  同ラックの一実施例の展開図です。〔斜線部は切り抜く〕
【図４】  同ラックの一実施例の組立図です。  打ち抜かれた台紙の両端部を片側ずつそれぞれ２７０°回転させる様に順に折り曲げてゆき、中央部（背面部）にあけられた差し込み孔へ両端部（仕切り板）のダボを差し込んで固定する。その時、把手部分のベロを折り曲げておいて二枚ある仕切り板の把手用の孔へそれぞれのベロが互い違いに入り込む様にする。右は把手部のベロの固定方法を示す。どちらも相手側を巻き込む様にしてから自分の付根にある差し込み孔に差し込み固定される。更に本体両側面の上端部（洗濯バサミ収納部）の前後に伸びるミミをそれぞれ外方へ向って９０°ずつ折り曲げてから上端部全体を外側へ倒すように下方に二段階、約１８０°近くまで折り曲げる。そうするとミミから出ているベロは本体側面にあけられた固定用のホゾ孔に納まり、収納部が形成される。
【図５】  同ラックの一実施例の組立図です。  本体に差し込まれた洗濯バサミ収納部のベロは、いったん内側へ抜けてからすぐに折り曲げられて隣の孔から又外へと出る。外に出たベロの余りは更に折り曲げて先端部が前後で互いに向かい合うかたちに曲げておく。左は底部の組み立てを示す。背面からの続きの底板を折り曲げてその凹み部へ両側面から続く底板のベロを差し込むように折り曲げて行き、最後に前面から来ている二枚の底板のベロを同じく背面から続いて来ている底板の凹み部に差し込みながら完全に折り曲げる。
【図６】  同ラックの寸法図です。
【図７】  同ラックの一実施例の図解です。
【図８】  同ラックの一実施例の洗濯バサミ収納スリットの展開図です。
【図９】  同ラックの一実施例の斜視図です。（右は畳んだ状態）
【手続補正４】
【補正対象書類名】明細書
【補正対象項目名】符号の説明
【補正方法】変更
【補正の内容】
【符号の説明】
【００１０】
▲１▼  衣類用ハンガー
▲２▼  ハンガー収納部
▲３▼  把手部
▲４▼  洗濯バサミ
▲５▼  洗濯バサミ収納部
▲６▼２００ｍｍ
▲７▼  ２０ｍｍ
▲８▼  ２５ｍｍ
▲９▼  ５０ｍｍ
▲１０▼  ２２０ｍｍ
▲１１▼３８５ｍｍ
▲１２▼１８５ｍｍ
▲１３▼  １５０ｍｍ
▲１４▼  把手部品
▲１５▼  ガード部品
▲１６▼  洗濯バサミ収納部（別案）
【手続補正５】
【補正対象書類名】図面
【補正対象項目名】図１
【補正方法】変更
【補正の内容】
【図１】
0003115952.tif 000012
【手続補正６】
【補正対象書類名】図面
【補正対象項目名】図２
【補正方法】変更
【補正の内容】
【図２】
0003115952.tif 000013
【手続補正７】
【補正対象書類名】図面
【補正対象項目名】図３
【補正方法】変更
【補正の内容】
【図３】
0003115952.tif 000014
【手続補正８】
【補正対象書類名】図面
【補正対象項目名】図４
【補正方法】変更
【補正の内容】
【図４】
0003115952.tif 000015
【手続補正９】
【補正対象書類名】図面
【補正対象項目名】図５
【補正方法】変更
【補正の内容】
【図５】
0003115952.tif 000016
【手続補正１０】
【補正対象書類名】図面
【補正対象項目名】図６
【補正方法】変更
【補正の内容】
【図６】
0003115952.tif 000017
【手続補正１１】
【補正対象書類名】図面
【補正対象項目名】図９
【補正方法】追加
【補正の内容】
【図９】
0003115952.tif 000018